【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
使い捨て型エアロゾル発生器に蓄えられた流体を気化させるために適合したヒーターを含む吸入器デバイスとともに使用される使い捨て型エアロゾル発生器であって、
密封されたチャンバーと、流出口とを含む使い捨て型本体部を含み、この場合、使い捨て型本体部は、前記チャンバーを規定する第１および第２の材料層を含み、前記チャンバーは、チャンバー内の流体がヒーターによって気化させられたときに流出口から噴出させられる所定量の流体を収容する、
使い捨て型エアロゾル発生器。
【請求項２】
流出口が、第１および第２の材料層の間に存在する流路の端部に配置される、請求項１に記載のエアロゾル発生器。
【請求項３】
使い捨て型本体部は、一定間隔で離れて置かれた一連のエアロゾル発生器を含み、そして、使い捨て型本体部は、吸入器デバイスに収まるように設計され、その結果、ヒーターにより、それぞれのエアロゾル発生器のチャンバーにおける流体が加熱され得る放出位置にそれぞれの各エアロゾル発生器を進めることができるようになっている、請求項１に記載のエアロゾル発生器。
【請求項４】
エアロゾル発生器はそれぞれが、流路の端部に配置された流出口を含み、各エアロゾル発生器の流路が第１および第２の層の間に配置される、請求項３に記載のエアロゾル発生器。
【請求項５】
第１の材料層は、射出成型されたポリマー材料を含み、チャンバーは前記ポリマー材料におけるくぼみを含む、請求項１に記載のエアロゾル発生器。
【請求項６】
第１の材料層はポリマー材料を含み、第２の材料層は、前記ポリマー層にヒートシールされた箔層を含む、請求項１に記載のエアロゾル発生器。
【請求項７】
流出口が、ポリマー層における溝を含む、チャンバーから延びる流路の端部に配置される、請求項６に記載のエアロゾル発生器。
【請求項８】
使い捨て型本体部は、一定間隔で離れて置かれた一連のエアロゾル発生器を含むディスクを含み、それぞれの各エアロゾル発生器のチャンバーがディスクの外側部分に隣接して配置され、それぞれの各エアロゾル発生器の流出口がディスクの中心部分に隣接して配置される、請求項１に記載のエアロゾル発生器。
【請求項９】
流路は、０．０１〜１０ｍｍの幅および少なくとも５ｍｍの長さを有する直線溝を含む、請求項２に記載のエアロゾル発生器。
【請求項１０】
請求項１に記載される使い捨て型エアロゾル発生器とともに使用可能な吸入器デバイスであって、気化させた流体を流出口から噴出させるようにチャンバー内の流体を加熱するために配置されたヒーターを含む吸入器デバイス。
【請求項１１】
ヒーターは電気抵抗ヒーターを含む、請求項１０に記載の吸入器デバイス。
【請求項１２】
ヒーターは、流出口に隣接して配置された開口部を含む基体に抵抗発熱材の層を含む、請求項１１に記載の吸入器デバイス。
【請求項１３】
第１の層および／または第２の層に穴をあけ、流出口を形成するために適合している開口用デバイスをさらに含む、請求項１２に記載の吸入器デバイス。
【請求項１４】
開口用デバイスが、基体における開口部に配置される可動性の先端を含むソレノイド作動の穴あけエレメントを含み、この場合、先端は、先端が使い捨て型本体部の第１の層を突き抜けるように穴あけエレメントの作動時に移動する、請求項１３に記載の吸入器デバイス。
【請求項１５】
使い捨て型本体部は、流体を気化させ、かつ気化させた流体を流出口から噴出させるために十分にチャンバー内の流体をヒーターが加熱することができる放出位置にチャンバーが移動することができるように可動的に支えられている、請求項１０に記載の吸入器デバイス。
【請求項１６】
抵抗発熱材の層が、チャンバーのサイズと同一の広がりを有するパターンで配置された細片を含む、請求項１２に記載の吸入器デバイス。
【請求項１７】
エアロゾル発生器の流出口に隣接して配置された分配用構成要素をさらに含み、流出口から噴出される気化させられた流体が分配用構成要素における通路を通過する、請求項１０に記載の吸入器デバイス。
【請求項１８】
使い捨て型本体部は、一定間隔で離れて置かれた一連のエアロゾル発生器を含み、そして、使い捨て型本体部は、吸入器デバイスに収まるように設計され、その結果、ヒーターにより、それぞれのエアロゾル発生器のチャンバーにおける流体が加熱され得る放出位置にそれぞれの各エアロゾル発生器を進めることができるようになっている、請求項１０に記載の吸入器デバイス。
【請求項１９】
第１の層が、射出成型されたポリマー材料の層を含み、第２の材料層が、前記ポリマー層にヒートシールされた箔を含み、そして、ヒーターが、チャンバー内の流体を気化させるために作動させられる直前に、箔層に穴をあけて、流出口を形成させるために作動可能である開口用構成要素を含む、請求項１８に記載の吸入器デバイス。
【請求項２０】
使い捨て型本体部は、チャンバーから直線的に延びる流路を含み、ヒーターが、チャンバーを加熱するために配置された第１の部分と、前記流路を加熱するために配置された第２の部分とを含み、ヒーターの第１および第２の部分は、チャンバー内の流体を気化させるためにヒーターが作動しているとき、ヒーターの第２の部分がヒーターの第１の部分よりも熱くなるように設計された抵抗発熱材の層を含む、請求項１６に記載の吸入器デバイス。
【請求項２１】
請求項１１に記載される吸入器デバイスを使用してエアロゾルを形成させる方法であって、第１および／または第２の層を、流出口を形成させるように切り離し、そして、チャンバー内の流体を気化させ、気化させた流体を流出口から噴出させるようにヒーターを作動させることを含む方法。
【請求項２２】
使い捨て型本体部が、一定間隔の離れて置かれた一連のエアロゾル発生器を含み、そして、ヒーターにより、第１のエアロゾル発生器のチャンバー内の流体を加熱し、流体をその中で気化させることができる位置に、前記エアロゾル発生器の第１のエアロゾル発生器を配置させるように、使い捨て型本体部を吸入器デバイスに対して移動させることを含む、請求項２１に記載の方法。
【請求項２３】
切り離しが、穴あけ構成要素を第１および／または第２の層に通すことによって行われ、流出口が、分配用構成要素の通路に隣接して配置され、そして、ヒーターによって形成された気化させられた流体が、流出口を通過した後、通路内に噴出させられる、請求項２１に記載の方法。
【請求項２４】
使い捨て型本体部が、チャンバーから直線的に延びる流路を含み、ヒーターが、チャンバーを加熱するために配置された第１の部分と、流路を加熱するために配置された第２の部分とを含み、そして、ヒーターの第１および第２の部分は、チャンバー内の流体を気化させているとき、ヒーターの第２の部分がヒーターの第１の部分よりも熱くなるように設計された抵抗発熱材の層を含む、請求項２３に記載の方法。
【請求項２５】
密閉されたチャンバーが、リザーバーを使い捨て型本体部の下部表面に含み、かつ、リザーバーと流体的に連絡している流路を使い捨て型本体部の上部表面に含む、請求項１に記載のエアロゾル発生器。
【請求項２６】
下部表面における第１の材料層がリザーバーを覆い、上部表面における第２の材料層が流路を覆い、使い捨て型本体部がポリマー材料を含み、第１の材料層がポリマー薄膜を含み、第２の材料層が耐熱性材料を含む、請求項２５に記載のエアロゾル発生器。
【請求項２７】
使い捨て型本体部は、多数の密閉されたチャンバーを有する円形の本体部を含み、円形の本体部はその外側外縁に歯車の歯を含む、請求項２５に記載のエアロゾル発生器。
【請求項２８】
開口用デバイスが吸入器デバイスの一部に動かないように取り付けられ、そして、吸入器デバイスが、流出口を形成するように使い捨て型本体部を移動させて開口用デバイスとの係合状態にする持上げ機構を含む、請求項１３に記載の吸入器デバイス。
【請求項２９】
吸入器デバイスがハウジングおよびカバーを含み、カバーは、カバーが開位置にあるとき、吸入器デバイスにおける使い捨て型本体部の挿入を可能にするようにハウジングに対して可動性である、請求項１０に記載の吸入器デバイス。
【請求項３０】
ヒーターがカバーの下部表面に取り付けられ、ハウジングはさらに、流出口を形成するように使い捨て型本体部を移動させて開口用デバイスとの係合状態にする持上げ機構を含む、請求項２９に記載の吸入器デバイス。
【請求項３１】
チャンバー内の流体が、チャンバーから、使い捨て型本体部における流路に沿って、流出口に向かって押し出されるように、使い捨て型本体部と係合する流体送達機構を含み、ヒーターが、流路内の流体を加熱するために配置されている、請求項１０に記載の吸入器デバイス。
【請求項３２】
流体送達機構は、使い捨て型本体部がピストンと係合することにより、流体が実質的に一定の流速でチャンバーから流路内に押し出されるように、使い捨て型本体部に向かう方向および使い捨て型本体部から離れる方向で移動可能なピストンを含む、請求項３１に記載の吸入器デバイス。
【請求項３３】
モーターに電源から電力供給されたときにモーターによって回転させられるシャフトに取り付けられている、ピストンを使い捨て型本体部に対して押しつける駆動されるピストンカムを含む、請求項３２に記載の吸入器デバイス。
【請求項３４】
流出口を形成するように使い捨て型本体部を移動させて開口用デバイスとの係合状態にする持上げ機構をさらに含み、持上げ機構は、使い捨て型本体部における開口部に収容される支軸と、シャフトに取り付けられている支軸カムとを含み、支軸カムが、シャフトの回転時に使い捨て型本体部に対して支軸を押しつける、請求項３３に記載の吸入器デバイス。
【請求項３５】
シャフトに取り付けられている歯車をさらに含み、歯車は、使い捨て型本体部の外側外縁の歯車の歯とかみ合い、シャフトの回転時に使い捨て型本体部の回転を行わせる、請求項３４に記載の吸入器デバイス。
【請求項３６】
流体がピストンによってチャンバーから押し出されたとき、ヒーターを作動させるように、モーター、電源およびヒーターに作動可能に接続されたコントローラーをさらに含む、請求項３５に記載の吸入器デバイス。
【請求項３７】
請求項２１に記載される吸入器デバイスを使用してエアロゾルを形成させる方法であって、チャンバーが使い捨て型本体部の下部表面に配置され、流出口が使い捨て型本体部の上部表面に配置され、流出口が使い捨て型本体部の上部表面における流路によってチャンバーに接続され、そして、流路に沿って流れるように流体をチャンバーから機械的に押し出し、かつ流路内の流体を気化させ、気化させた流体を流出口から噴出させるようにヒーターを作動させる工程を含む方法。
【請求項３８】
流体が、ピストンを使い捨て型本体部に対して押しつけることによってチャンバーから押し出される、請求項３７に記載の方法。
【請求項３９】
使い捨て型本体部が、ヒーターに向かう方向およびヒーターから離れる方向で垂直方向に可動性であり、そして、流体をヒーターにより気化させる前に、使い捨て型本体部を、ヒーターの垂直方向の下に間隔を置いて置かれた第１の位置から、ヒーターに近い第２の位置に移動させる工程を含む、請求項３７に記載の方法。